(57)【要約】【課題】  リブガラススクリーンの施工において、面板ガラスとリブガラスを連結固定し、面板ガラスとリブガラスとの突き合わせ部に充填したシーリング材が、完全に硬化するまでに固定可能な固定具を提供する。【解決手段】  外壁としての面板ガラスの突き合わせ部にて、面板ガラスの縦辺と直角にリブガラスを設けたガラススクリーン工法において、面板ガラスとリブガラスを連結固定するリブガラススクリーンの固定具であって、面板ガラス同士の突き合わせ部を挟んで両側に位置する一対の面板ガラスを挟着保持する一対のプレートと、リブガラスを中間に位置させて前記プレートに固定された一対の連結具と、面板ガラスと反対側のリブガラスの長辺側端面との嵌合部を有する嵌合プレートからなり、前記連結具と嵌合プレートが螺子加工された金属棒または金属ボルトおよびナットで間隔調整自在に螺合されてなることを特徴とするリブガラススクリーンの固定具。【選択図】図１
2005273222.tif 000002
【特許請求の範囲】
【請求項１】
外壁として立設する複数の面板ガラスの突き合わせ部の片側もしくは両側に面板ガラスの縦辺と直角にリブガラスを設けたガラススクリーン工法において面板ガラスとリブガラスを連結固定するリブガラススクリーンの固定具であって、面板ガラス同士の突き合わせ部を挟んで両側に位置する一対の面板ガラスを挟着保持する一対のプレートと、リブガラスを中間に位置させて前記プレートに固定された一対の連結具と、面板ガラスと反対側のリブガラスの長辺側端面との嵌合部を有する嵌合プレートからなり、前記連結具と嵌合プレートが螺子加工された金属棒または金属ボルトおよびナットで間隔調整自在に螺合されてなることを特徴とするリブガラススクリーンの固定具。
【請求項２】
請求項1に記載のリブガラススクリーンの固定具を用いたリブガラススクリーンの施工方法であって、面板ガラスとリブガラスの突き合わせシーリング部のリブガラススクリーン縦方向中間部にて前記固定具を用いて、面板ガラスとリブガラスとを固定することを特徴とするリブガラススクリーンの固定方法。
【発明の詳細な説明】
【技術分野】
【０００１】
本発明は、複数のガラス板を組み合わせ、大型のガラススクリーンを施工する際のガラス・スタビライザー工法および吊り下げ・スタビライザー工法におけるガラススクリーンの固定具およびそれを用いたリブガラススクリーンの施工方法に関する。
【背景技術】
【０００２】
複数のガラス板を組み合わせ、大型のガラススクリーンを施工すると、建物の外部空間を視覚的に内部へ連続させる効果があり、開放的な雰囲気を演出する。
【０００３】
ガラススクリーンの施工方法としては、吊り下げ工法、ガラス・スタビライザー工法、および吊り下げ工法とガラス・スタビライザー工法を組み合わせた吊り下げ・スタビライザー工法等が挙げられ、通常、高さ、４ｍ〜１０ｍの大板ガラスを用い、大型のガラススクリーンが施工されている。
【０００４】
吊り下げ工法は、板ガラスをクランプと通称する特殊な吊り具で、建物の梁またはスラブ等から吊り下げ施工する方法であり、板ガラスを吊り下げることにより、板ガラスの自重によるたわみを防ぎ、透視歪を生じさせるゆがみを抑えるとともに、更に建物の変位や振動に対する追従性を板ガラスに持たせたものである。
【０００５】
ガラス・スタビライザー工法は、目障りな金属方立の代りにガラス方立て（以下、リブガラスと呼称する）を用いて、正面ガラス（以下、面板ガラスと呼称する）に加わる風荷重を支持する工法で、通常、面板ガラスとリブガラスとの接合部に、シリコーン系シーリング材を充填しリブガラススクリーンとして一体化させており、広々とした透視性のある開口部が得られ、連続したガラススクリーンを構成する。
【０００６】
吊り下げ・スタビライザー工法は、吊り下げ工法とガラス・スタビライザー工法を併用した工法であり、高さが１０ｍにもおよぶリブガラススクリーンの施工が知られている。
【０００７】
ガラス・スタビライザー工法および吊り下げ・スタビライザー工法に使用するリブガラススクリーンの構造が特許文献１、特許文献２、特許文献３等で開示されている。
【０００８】
また、リブガラススクリーンの支持構造が特許文献４に開示されており、ガラススクリーン上下の両端部の面板ガラスとリブガラスとを剛性を有するブロック材で挟持し、そのの突き合わせ部をシール材で接着している。
【特許文献１】特開平１０−６１０７０号公報
【特許文献２】特開２００３−３２８４７６号公報
【特許文献３】特開２００３−３２８４７７号公報
【特許文献４】特開平９−６０１５８号工法
【発明の開示】
【発明が解決しようとする課題】
【０００９】
ガラス・スタビライザー工法および吊り下げ・スタビライザー工法において、通常、面板ガラスとリブガラスを上枠、下枠にて固定し、面板ガラスとリブガラスとの突き合わせ部にシリコーン系シーリング材を充填し硬化させて、面板ガラスとリブガラスとを接着するとともに、硬化したシール部を構造材とする。
【００１０】
このようにして、リブガラススクリーンを施工した際、完全に硬化する前に強風、地震等があったりすると、風圧および地震による面板ガラスからの押圧でシール部表面に皺がより見た目が汚くなる、また、シール部が変形し面板ガラスとリブガラスとの所望の位置精度を保てない等の問題がある。更に、強風、地震の程度が強い場合は、リブガラススクリーンが破損する懸念がある。
【００１１】
そのため、シール部が完全硬化するまで、シーリング材で一体化した面板ガラスとリブガラスを粘着テープで固定すること等が行われるが、粘着テープを貼る、剥がした後のテープ跡を除去することに手間がかかる。
【００１２】
本発明は、面板ガラスとリブガラスを連結固定するリブガラススクリーンの固定具であり、例えば、シーリング材を面板ガラスとリブガラスとの突き合わせ部に充填したシール部が、完全に硬化するまでに仮固定する際に使用し、前記課題を解決することを目的とする。
【課題を解決するための手段】
【００１３】
本発明は、複数のガラス板を組み合わせ、大型のリブガラススクリーンを施工する際のガラス・スタビライザー工法および吊り下げ・スタビライザー工法におけるガラススクリーンの固定具である。例えば、面板ガラスとリブガラスを連結し、面板ガラスとリブガラスの突き合わせ部に充填したシーリング材が硬化するまで面板ガラスとリブガラスを固定するものである。
【００１４】
本発明は、外壁として立設する複数の面板ガラスの突き合わせ部の片側もしくは両側に面板ガラスの縦辺と直角にリブガラスを設けたガラススクリーン工法において面板ガラスとリブガラスを連結固定するリブガラススクリーンの固定具であって、面板ガラス同士の突き合わせ部を挟んで両側に位置する一対の面板ガラスを挟着保持する一対のプレートと、リブガラスを中間に位置させて前記プレートに固定された一対の連結具と、面板ガラスと反対側のリブガラスの長辺側端面との嵌合部を有する嵌合プレートからなり、前記連結具と嵌合プレートが螺子加工された金属棒または金属ボルトおよびナットで間隔調整自在に螺合されてなることを特徴とするリブガラススクリーンの固定具である。
【００１５】
通常、ガラス・スタビライザー工法および吊り下げ・スタビライザー工法において、リブガラススクリーンを上枠、下枠に嵌めこみ固定した状態で面板ガラスとリブガラスの突き合わせ部にシーリング材を充填し、リブガラススクリーンを施工する。通常、ガラススクリーンの高さは４ｍ〜１０ｍあり、上枠、下枠にて面板ガラスとリブガラスとを固定した状態で、面板ガラスとリブガラスの突き合わせ部にシーリング材を充填したとしても、シール部が完全に硬化する前に強風、地震が発生すると、面板ガラスが縦方向中間部で大きく撓み、縦方向の中間部のシール部が変形し、シール部表面に皺がよる、面板ガラスとリブガラスの位置精度が狂うが、本発明のリブガラススクリーンの固定具を前記中間部に設置すれば、面板ガラスが連結され強度が増すので、そのような懸念がなくなる。また、本発明のリブガラススクリーンの固定具は、着脱自在であるので、シール部が完全に硬化し、シール部が変形し、シール部表面に皺がよる、面板ガラスとリブガラスの位置精度が狂う等の懸念がなくなった後、取り外すことが可能なので、特に、シール部が完全に固定するまでの仮の固定に好適に使用される。
【００１６】
更に、本発明は、上記のリブガラススクリーンの固定具を用いたリブガラススクリーンの施工方法であって、面板ガラスとリブガラスの突き合わせシール部のリブガラススクリーン縦方向中間部にて前記固定具を用いて、面板ガラスとリブガラスとを固定することを特徴とするリブガラススクリーンの固定方法である。
【発明の効果】
【００１７】
本発明のリブガラススクリーンの固定具は、面板ガラスとリブガラスを連結固定するもので、シーリング材を面板ガラスとリブガラスとの突き合わせ部に充填したシール部が、完全に硬化するまでに固定可能である。
【００１８】
更に、本発明のリブガラススクリーンの固定具は、着脱自在であるので、シール部が完全に硬化し、シール部が変形し、シール部表面に皺がよる、面板ガラスとリブガラスの位置精度が狂う等の懸念がなくなった後、取り外すことが可能なので、特に、シール部が完全に硬化固定するまでの仮の固定に好適に使用される。
【発明を実施するための最良の形態】
【００１９】
外壁として立設する複数の面板ガラスの片側に面板ガラスの縦辺と直角にリブガラスを設けた本発明のリブガラススクリーンの固定具の構造について説明する。
【００２０】
図１は、本発明のリブガラススクリーンの固定具で面板ガラスおよびリブガラスを固定した際の平面図である。
【００２１】
図２は、本発明のリブガラススクリーンの固定具で面板ガラスおよびリブガラスを固定した際の斜視図である。
【００２２】
図１および図２に示すように、本発明のリブガラススクリーンの固定具は、隣り合う面板ガラスＧ１、Ｇ２の突き合わせ部を挟んで、一対のプレート１Ａ、１Ｂにより、面板ガラスＧ１、Ｇ２の端部を挟着保持して固定する。挟着する際は、ボルト２およびナット３によって締め付け確実に固定する。尚、締め付ける際に、ガラスがキズつく、破損することなきようガラスと治具の間に緩衝用にゴムシート、布等を挟むことが好ましい。
【００２３】
次いで、リブガラスＧ３を中間に配して、前記プレート１Ａ、１Ｂに連結具４Ａ、４Ｂを螺子加工された金属棒又は、金属ボルトで固定する。例えば、図１および図２に示すように、プレート１Ｂに螺子孔を設け、螺子棒５Ａ、５Ｂをねじ込み、一対の連結具４Ａ、４Ｂを挿し込み、ナット６、７にて確実に締め付け固定する。本発明のリブガラススクリーンの固定具自体に強度、および該固定具を用いて固定した際の面板ガラスＧ１、Ｇ２、リブガラスＧ３の配置に位置精度を得るために、図１および図２に示すように、連結具４Ａ、４Ｂはコの字状連結具とし、ナット８、９、１０、１１にて締め付けて、連結具４Ａ、４Ｂに螺子棒５Ａ、５Ｂを固定する。
【００２４】
次いで、螺子棒５Ａ、５Ｂの通る穴を加工したプレート１２を螺子棒５Ａ、５Ｂに挿し込んで、プレート１２を挟んで、螺子棒５Ａ、５Ｂに螺合させたナット１３、１４、１５、１６を回すことで、連結具４Ａ、４Ｂと嵌合プレート１２の間隔調整を自在に行えるようにした。この様にしたことで、面板ガラスＧ１、Ｇ２と、リブガラスＧ３との突き合わせ部の所望の間隔を得、面板ガラスＧ１、Ｇ２と反対側のリブガラスＧ３の長辺側端面を嵌合プレート１２が押さえる様に配した。その際、リブガラスＧ３を位置決めするためおよび緩衝用に、リブガラスＧ３と嵌合プレート１２との間にゴム等からなるコの字状部材を挟持させることが好ましい。
【００２５】
尚、面板ガラスＧ１、Ｇ２とリブガラスＧ３の更に正確な位置精度を得るには、本発明のリブガラススクリーンの固定具に、リブガラスを確実に固定することが好ましい。
【００２６】
図３は、本発明のリブガラススクリーンの固定具で面板ガラスおよびリブガラスを固定した際の平面図である。
【００２７】
例えば、嵌合プレート１２に螺子孔加工が施された突起した板部１７を設け、ボウト１８をねじ込み、押さえ板１９を介してリブガラスＧ３を固定する。
【００２８】
次いで、外壁として立設する複数の面板ガラスの両側に面板ガラスの縦辺と直角にリブガラスを設けた本発明のリブガラススクリーンの固定具の構造について説明する。
【００２９】
図４は、本発明のリブガラススクリーンの固定具で面板ガラスの両側にリブガラスを固定した際の平面図である。
【００３０】
図４に示すように、面板ガラスＧ１、Ｇ２の両側に、面板ガラスの縦辺と直角にリブガラスＧ３、Ｇ４を設ける場合は、図１および図２をにて説明した本発明のリブガラススクリーンの固定具を面板ガラスＧ１、Ｇ２の両側に設け、面板ガラスＧ１、Ｇ２とリブガラスＧ３、Ｇ４を固定することで、リブガラススクリーンを固定する。
【００３１】
本発明のリブガラススクリーンの固定具を使用したリブガラススクリーンの施工方法について説明する。
【００３２】
図５は、リブガラススクリーンの斜視図である。
【００３３】
図５に示すように、リブガラススクリーンは、下部を下枠２０で固定し面板ガラスＧ１、Ｇ２とリブガラスＧ３との突き合わせ部にシーリング材を充填し硬化させたシール部２１からなる。例えば、施工の際、面板ガラスとリブガラスとの縦方向の中間突き合わせ部２２Ａ、２２Ｂにおいて、本発明のリブガラススクリーンの固定具にて、面板ガラスＧ１、Ｇ２とリブガラスＧ３を固定した後、シーリーン材を固定具のある部位を除く突き合わせ部に充填し、硬化させてシール部２１とし、その後、着脱自在な本発明のリブガラススクリーンの固定具を外せば、施工が簡単となる。
【００３４】
また、リブガラススクリーンが巨大で、面板ガラスＧ１、Ｇ２とリブガラスＧ３との強い接合強度が必要な場合は、本発明のリブガラススクリーンの固定具を、リブガラススクリーン縦方向に等間隔に、言い換えれば、ピッチを合わせて取り付けるとリブガラススクリーンに所望の強度が得られる。４．０ｍ〜１０．０ｍの高さのリブガラスクリーンにおいては、前記ピッチを１．５ｍ〜３．０ｍにすることが好ましい。１．５ｍ未満だと作業が煩雑になり、３．０ｍを超えるとリブガラススクリーンに強度を持たせる効果が薄れる。好ましくは、２．０ｍ〜２．５ｍである。
【００３５】
また、本発明のリブガラススクリーンの固定具をガラスに締め付けて固定する際は、キズ、クラック発生による割れ防止のため、必要に応じて固定具とガラスとの間に、緩衝用にゴムシート、布等を挟む。
【００３６】
尚、本発明のリブガラススクリーンの固定具は、加工が容易で剛性に優れた金属を材料として製作することが好ましい。
【図面の簡単な説明】
【００３７】
【図１】本発明のリブガラススクリーンの固定具で面板ガラスおよびリブガラスを固定した際の平面図である。
【図２】本発明のリブガラススクリーンの固定具で面板ガラスおよびリブガラスを固定した際の斜視図である。
【図３】本発明のリブガラススクリーンの固定具で面板ガラスおよびリブガラスを固定した際の平面図である。
【図４】本発明のリブガラススクリーンの固定具で面板ガラスの両側にリブガラスを固定した際の平面図である。
【図５】リブガラススクリーンの斜視図である。
【符号の説明】
【００３８】
Ｇ１、Ｇ２    面板ガラス
Ｇ３、Ｇ４    リブガラス
１Ａ、１Ｂ    プレート
２、１８      ボルト
４Ａ、４Ｂ    連結具
５Ａ、５Ｂ    螺子棒
１２          嵌合プレート
１７          突起部
１９          押さえ板
２０          下枠
２１          シール部
２２          中間突き合わせ部
３、６〜１１、１３〜１６  ナット
【図１】
2005273222.tif 000003
【図２】
2005273222.tif 000004
【図３】
2005273222.tif 000005
【図４】
2005273222.tif 000006
【図５】
2005273222.tif 000007